(57)【要約】      （修正有）【課題】作業台において常設可能な懸架部材でありながら軽量化及び収納時のコンパクト化を達成し、また見掛け上の印象に対応した最低限の剛性を確保して、破損や作業台の転倒の危険性を回避し得る索体繰り出し装置、及び索体機構付き作業台を提供する。【解決手段】所定の回転付勢力に基づく軸回転によって索体を巻き取る巻き取り部１と、巻き取り部１に同軸接続されて同軸周りに回転周面を有した回転ギア２と、所定の圧接力をもって回転ギア２の回転周面の少なくとも一部に圧接し得る周着ギア３と、周着ギア３を回転ギア２の回転周面から離間させた離間状態で保持する保持機構とを具備し、周着ギア３が、前記回転付勢力よりも大きな圧接力をもって、回転ギア２の回転周面のうち少なくとも一部の周方向に亘って圧接することで、回転ギア２の軸回転を制止する。【選択図】図３
2012162949.tif 000002
【特許請求の範囲】
【請求項１】
複数本の支柱（Ｂ１）又は複数本の支脚（Ｂ２）を有する作業台（Ｂ）の上方に設けられ、それ自体の内部に索体（Ｒ）を収容すると共にこの索体（Ｒ）を繰り出して前記支柱（Ｂ１）間又は支脚（Ｂ２）間に張架し、作業台（Ｂ）上の作業空間を区画し得る索体繰り出し装置であって、
所定の回転付勢力に基づく軸周回によって回転軸周りに索体（Ｒ）を巻き取る巻き取り部（１）と、
巻き取り部（１）と同軸接続されて同軸周りに回転周面を有した回転ギア（２）と、
所定の圧接力をもって回転ギア（２）の回転周面の少なくとも一部に圧接し得る周着ギア（３）と、
前記周着ギア（３）を回転ギア（２）の回転周面から離間させた離間状態で保持する保持機構とを具備してなり、
周着ギア（３）が、前記回転付勢力よりも大きな圧接力をもって、回転ギア（２）の回転周面のうち少なくとも一部の周方向に亘って圧接することで、回転ギア（２）の軸回転を制止することを特徴とする索体繰り出し装置。
【請求項２】
前記回転ギア（２）が、回転周面に複数歯を設けてなる歯車機構からなり、
前記周着ギア（３）が、回転ギア（２）の歯車機構のうち少なくとも一部の複数歯と噛合する内歯車の円弧部分体からなり、
当該円弧部分体は、回転ギア（２）の一の径方向に沿ってスライド移動可能に設けられると共に回転ギア（２）の中心方向へ弾性付勢されることで、内歯車の歯部が前記歯車機構の複数歯に対して所定の圧接力で噛合し得る請求項１記載の索体繰り出し装置。
【請求項３】
保持機構が、ピン軸の先端に前記周着ギア（３）を有してピン軸方向先端側へ軸付勢された、回転可能なロールピン（３１）と、ロールピン（３１）の側部に所定方向に突設された突部（３Ｐ）と、ロールピン（３Ｐ）の回転ギア（２）側と相反方向に開口して周設され、ピン軸周りの枠長が可変した枠体（４）とから構成され、枠体（４）の所定枠長以下の枠部範囲に突部（３Ｐ）が突入した状態で周着ギア（３）と回転ギア（２）とが噛合状態となる請求項１又は２記載の索体繰り出し装置。
【請求項４】
天板（Ｂ３）上方に複数本の支柱（Ｂ１）又は複数本の支脚（Ｂ２）を有する作業台（Ｂ）と、前記支柱（Ｂ１）又は支脚（Ｂ２）のいずれかに固定された請求項１，２，又は３のいずれか記載の索体繰り出し装置（１０）と、前記支柱（Ｂ１）又は支脚（Ｂ２）と隣り合う他の支柱（Ｂ１）又は支脚（Ｂ２）に設置され、前記索体繰り出し装置（１０）によって繰り出された索体（Ｒ）を懸架する懸架装置（Ｈ）とを具備してなる索体繰り出し装置付き作業台。
【発明の詳細な説明】
【技術分野】
【０００１】
巻き取りベルトのベルト索体Ｒのロック機構に関し、特に作業台の天板上方に架設して作業台の端部位置を感知させるためのベルト索体を架設状態のままロックするロック機構に関する。
【背景技術】
【０００２】
従来、一対の梯子状の主脚間に天板を架け渡した可搬式作業台において、前記天板の４隅に手掛かり部材を立設し、この手掛り部材の先端に手摺り上桟を垂直方向に回動自在に取り付けたものが開示される（例えば、特許文献１参照）。これは、手掛かり部材を利用しこれに手摺り部材を取り付けておくことで手摺りを後付けではなく、作業台に常設のものとし、別途手摺り部材を用意して取付作業をする必要がなく、しかも天板の上部側方への組み立ても容易で簡単に設置でき、天板からの転落・墜落事故発生を防止し安全性を向上できる、とされる。
【０００３】
ここで上記従来の作業台における常設の手摺り部材はそれ自体がかさばるものであり、可搬式作業台の性質上からも可能な限りの軽量化及び収納時のコンパクト化が求められる。しかしながら軽量化、容積のコンパクト化を行うと部材自体の剛性が低下してしまう。
【０００４】
その一方で、天板上方に懸架する部材はその見掛け上、現実以上の高剛性の印象を使用者に与える場合があり、例えば使用者の体重を支えるものとして使用された場合には、破損や転倒といった危険性が生じてしまう。また、仮に見掛け上の印象に対応させて手摺としての使用に耐え得るだけの高剛性にしようとすると、前記軽量化、コンパクト化が困難となるという問題があった。
【発明の開示】
【発明が解決しようとする課題】
【０００５】
そこで本発明は、作業台において常設可能な懸架部材でありながら軽量化及び収納時のコンパクト化を達成し、また見掛け上の印象に対応した最低限の剛性を確保して、破損や作業台の転倒の危険性を回避し得る索体繰り出し装置、及び索体繰り出し装置付き作業台を提供することを課題とする。
【特許文献１】特開２００６−１５２５９３号公報
【課題を解決するための手段】
【０００６】
上記課題を解決するために、本発明においては、以下（１）ないし（４）の手段を採用する。
（１）すなわち、本発明の索体繰り出し装置は、
複数本の支柱Ｂ１又は複数本の支脚Ｂ２を有する作業台Ｂの天板Ｂ３の上方の作業空間内に設けられ、それ自体の内部に索体Ｒを収容すると共にこの索体Ｒを繰り出して前記支柱Ｂ１間又は支脚Ｂ２間に張架し、作業空間を区画し得る索体繰り出し装置であって、
所定の回転付勢力に基づく軸回転によって索体Ｒを巻き取る巻き取り部１と、
巻き取り部１に同軸接続されて同軸周りに回転周面を有した回転ギア２と、
所定の圧接力をもって回転ギア２の回転周面の少なくとも一部に圧接し得る周着ギア３と、
前記周着ギア３を回転ギア２の回転周面から離間させた離間状態で保持する保持機構とを具備してなり、
周着ギア３が、前記回転付勢力よりも大きな圧接力をもって、回転ギア２の回転周面のうち少なくとも一部の周方向に亘って圧接することで、回転ギア２の軸回転を制止することを特徴とする。
【０００７】
回転付勢力よりも大きな圧接力であって、かつ、巻き取り軸と同軸の回転ギア廻りへ所定範囲の周方向面に亘って面圧接することで、一方向からの制止力ではなく、当該周部に亘る径方向からの制止力を付加することができる。これにより、確実な制止が可能となる。なお高摩擦係数材を介して中心角１０度以上の周面範囲（好ましくは中心角４５度〜６０度の範囲の周方向面）に面圧接するもの、或いは角歯車の場合には隣り合う複数歯同士が噛合するものであれば、周方向への面圧接力を容易に確保することができるため好ましい。
【０００８】
（２）上記索体繰り出し装置において、前記回転ギア２が、回転周面全方向に歯部を設けてなる歯車機構からなり、
前記周着ギア３が、回転ギア２の歯車機構のうち少なくとも一部の連続複数歯からなる歯群と噛合する内歯車の円弧部分体からなり、
当該円弧部分体は、回転ギア２の一の径方向に沿ってスライド移動可能に設けられると共に回転ギア２の中心方向へ弾性付勢されることで、内歯車の歯部が前記歯車機構の複数歯に対して所定の圧接力で噛合し得ることが好ましい。
【０００９】
後述する実施例ではピン方向へスライド移動可能なロールピンの先端に、所定範囲の内円弧による内歯車を有する板状の周着ギアが固定される。ロールピン方向へのスライド移動によって離間状態ないし噛合状態となり得る。またロールピン周りに巻設されたコイルバネからなるスライドピン弾性体によって、回転ギア側への突出方向（回転ギア中心軸方向）への弾性付勢力を確保している。
【００１０】
（３）上記いずれかの索体繰り出し装置において、保持機構が、ピン軸の先端に前記周着ギア３を有してピン軸方向先端側へ軸付勢された、回転可能なロールピン３１と、ロールピン３１の側部に所定方向に突設された突部３Ｐと、ロールピン３Ｐの回転ギア２側と相反方向に開口して周設され、ピン軸周りの枠長が可変した枠体４とから構成され、枠体４の所定枠長以下の枠部範囲に突部３Ｐが突入した状態で周着ギア３と回転ギア２とが噛合状態となることが好ましい。
【００１１】
後述する実施例１の保持機構は、ピン軸方向に回転可能なロールピンの側部に所定方向に突設した突部３Ｐと、ロールピン３１の回転ギア側の近接方向に周設され、ピン軸周りの枠長が可変した枠体４とから構成され、枠体の所定枠長以下の枠部に突部が突入した状態で噛合状態となり、これによって索体Ｒの繰り出し長を保持する。
【００１２】
（４）本発明の索体繰り出し装置付き作業台は、天板上方に複数本の支柱又は複数本の支脚を有する作業台と、前記支柱又は支脚のいずれかに固定された上記（１），（２），（３）のいずれか記載の索体繰り出し装置と、前記支柱又は支脚と隣り合う他の支柱又は支脚に設置され、前記索体繰り出し装置によって繰り出された索体Ｒを懸架する懸架装置とを具備してなる。
【発明の効果】
【００１３】
本発明は、上述のような構成としたことで、緩みのない状態で懸架された索体Ｒが、強すぎずかつ弱すぎない所定の張架力による架設状態を確実に維持し、またこの架設状態維持操作やその解除操作を容易に行うことのできる索体繰り出し装置及び索体繰り出し装置付き作業台を提供することとなった。
【図面の簡単な説明】
【００１４】
【図１】本発明の実施例１の索体繰り出し装置１０を備えた索体繰り出し装置付き作業台の正面図。
【図２】本発明の実施例１の索体繰り出し装置の正面外観図。
【図３】実施例１の索体繰り出し装置の噛合状態における正面視軸断面図。
【図４】実施例１の索体繰り出し装置の離間状態における正面視軸断面図。
【図５】噛合状態における図３の平面視Ａ−Ａ断面図。
【図６】離間状態における図４の平面視Ｂ−Ｂ断面図。
【図７】噛合状態における図３の要部拡大断面図。
【図８】離間状態における図４の要部拡大断面図。
【図９】本発明の実施例２の索体繰り出し装置の側面視軸断面図。
【図１０】図９の平面視Ｃ−Ｃ断面図。
【図１１】図９の平面視Ｄ−Ｄ断面図。
【図１２】本発明の実施例３の索体繰り出し装置の噛合状態における平面視断面図。
【図１３】実施例３の索体繰り出し装置の離間状態における平面視断面図。
【発明を実施するための形態】
【００１５】
以下、本発明を実施するための形態例を、各実施例として示す図面と共に説明する。図１〜図８は、本発明の実施例１の索体繰り出し装置を示し、このうち図１はこれを備えた実施例１の索体繰り出し装置付き作業台を示す。また図９〜図１１は、本発明の実施例２の索体繰り出し装置を示し、図１２〜図１３は、本発明の実施例３の索体繰り出し装置を示す。以下、各実施例における構成につき詳述する。
【実施例１】
【００１６】
（索体繰り出し装置の全体構成）
本発明の索体繰り出し装置１０は、その基本構成として少なくとも、
所定の回転付勢力に基づく軸周回によって回転軸周りに索体Ｒを巻き取る巻き取り部１と、
巻き取り部１の下方に同軸接続されて回転軸周りの全周に亘って回転周面を有し、この回転周面によってギア機能又は摩擦制止機能を果たし得る回転ギア２と、
所定の圧接力をもって回転ギア２の回転周面の少なくとも一部に噛合又は接触して圧接し得る周着ギア３と、
前記周着ギア３を制動して、回転ギア２の回転周面から離間させた離間状態、乃至、回転ギア２の回転周面の少なくとも一部に圧接させた圧接状態のいずれかの状態とする制動手段と、
前記制動手段による周着ギア３の離間状態（周着ギア３を回転ギア２の回転周面から離間させた状態）を保持する保持機構とを具備してなる（図３）。
【００１７】
このように構成された索体繰り出し装置１０は、複数本の支柱Ｂ１又は複数本の支脚Ｂ２を有する作業台の天板Ｂ３の上方に設けられ、それ自体の内部に索体Ｒを収容すると共にこの索体Ｒを繰り出して前記支柱Ｂ１間又は支脚Ｂ２間に張架し得るものである（図１）。そして、回転ギア２と周着ギア３とによる圧接構造、及び離間状態を確実に保持する保持機構によって、任意の引き出し量だけ引き出した索体Ｒを不要な緩みや張りが生じないように確実にロックすることができる。
【００１８】
また本発明の索体繰り出し装置付き作業台は、天板Ｂ３上方に複数本の支柱Ｂ１又は複数本の支脚Ｂ２を有する作業台と、前記支柱Ｂ１又は支脚Ｂ２のいずれかに固定された上記索体繰り出し装置１０と、前記支柱Ｂ１又は支脚Ｂ１と隣り合う他の支柱Ｂ１又は支脚Ｂ２に設置され、前記索体繰り出し装置１０から繰り出された索体Ｒを懸架する懸架装置Ｈとを具備してなるものである（図１）。
【００１９】
なお実施例に示す作業台は、４本の傾斜した支脚Ｂ２によって四隅を支持された水平の天板Ｂ３を有し、天板Ｂ３の四隅それぞれから４本の手掛かり用の支柱Ｂ１が垂直方向に自立固定され、このうち１本の支柱Ｂ１の先端に索体繰り出し装置１０が取り付けられ、隣り合う支柱Ｂ１の先端に懸架装置Ｈが取り付けられる。なお４本の支脚Ｂ２のうち、隣り合う２本は下端に高摩擦係数の接地脚Ｂ２２を有し、残りの隣り合う２本は下端にキャスターＢ２３を有する。また支脚Ｂ２及び支柱Ｂ１は天板Ｂ３に沿う形態へと折り畳み可能である。支脚Ｂ２の上部内側と天板Ｂ３底面との間には折り曲げ可能な筋交Ｂ２１が支承され、作業台Ｂの設置時に支脚Ｂ２を支える一方、折り畳み時には筋交Ｂ２１が折れ曲がって支脚Ｂ２を天板Ｂ３の裏側に沿うように誘導する（図示せず）。
【００２０】
索体繰り出し装置１０又は懸架装置Ｈのいずれかには、索体Ｒを懸架してロックした状態で使用者の体重が必要以上にかかった場合、すなわち所定以上の張力がかかった場合に、過張力の状態を検知するセンサーを備え、さらに当該索体繰り出し装置１０又は懸架装置Ｈのいずれかに、前記センサーから検知時に発せられた電気信号によって光又は音による警報を発動させる警報発動機構を備えることが好ましい（図示せず）。
【００２１】
可搬用作業台における区画用の索体Ｒは、特殊な補強構造を施さない限り、使用者の体重をかけると索体Ｒが破損してしまうか作業台ごと転倒してしまうため、手摺としては使用できないという根本的性質がある。本発明の索体Ｒはこれに鑑みて、巻き取り収容され得る長尺薄板状の可撓体からなるテーブ材とし、また本発明の索体繰り出し装置は、所定以上の荷重がかかると自動的にロック状態を解除するものとしており、作業者の体重を支えることができないものとしている。これにより、本発明の索体繰り出し装置による索体Ｒは見掛け上及び機能上も作業空間の区画や作業台範囲の識別のためにのみ設けたものとして、見掛け上の剛性と実際の剛性とに差が生じないようにしている。
【００２２】
すなわち本発明の索体繰り出し装置は、手掛り部材自体に懸架状態の維持性が、作業者の体重を支えるほど強すぎず、また検知ができないほど弱すぎないものとしている。本発明の索体Ｒは、懸架状態では、作業台上の作業空間を区画して空間境界位置を知らせるだけの最小限の張架力を有しており、転落事故防止用として確実に機能する。
【００２３】
本発明を使用する際にはまず、索体Ｒを繰り出し口から任意の長さで引き出し、索体Ｒの先端のフックを懸架側の懸架受け部に係止させて懸架状態とする。この架設状態を維持するためには、ロックピンを軸方向外側方へ引き、軸回転させて突起の位置を枠体の溝部から内に収容させるだけでロック状態となる。このロック操作によってロックピン周りの軸弾性材が所定の圧着力で周着ギアを回転ギア側へ押しつけることで、確実にロック状態とすることができる。
【００２４】
また、ロックピンを軸方向外側方へ引き上げ、軸回転させて突起の位置を枠体の溝部から外して枠上部に配置するだけで容易にロック解除状態となる。この解除操作によってロック状態を解除するだけで索体Ｒは巻き取りバネによって自動巻き取りされる。
【００２５】
（索体Ｒ）
索体Ｒは作業台Ｂ上の作業空間を区画し、その端部を作業者に知らせる検知体をいう。巻き取り収容され、他端部が引き出される長尺体であれば、ベルト状のもの、ひも状のもの、チェーン状のもの、或いは棒状の物のいずれでもよい。実施例１では剛性の折り曲げフックよりも小幅の弾性材からなる長尺のベルト体から構成され、このベルト体の基端部が巻き取り部１の巻き取り軸上の固定部１Ａに挟持固定される。索体Ｒ自体は使用者の体重を支えるためではなく、作業空間の区画を作業者自体に知らせるための検知索体Ｒとして使用される。
【００２６】
（巻き取り部１）
巻き取り部１は、索体Ｒの一端を把持するとともに鉛直方向軸周りに巻き取る棒状体を芯材１Ａとし、この芯材１Ａの下部を覆って軸回転可能に下方支持する回転軸２１と、芯材１Ａの上部を回転自在に覆うカバー蓋１２とによって上下支持される。カバー蓋１２は筒状の外カバー１Ｃの天面を覆う蓋材であり、外カバー１Ｃの側部には索体Ｒを引き出す縦型細幅開口からなる引き出し口１Ｍが設けられ、この引き出し口１Ｍの口周りを孔空き枠状のフックストッパー１３で覆っている。
【００２７】
（回転ギア２）
回転ギア２は巻き取り回転軸周りに回転可能な円柱の回転体本体の周面に１６歯以上の歯車を有するか、或いは前記回転体本体の周面全体に高摩擦係数材が周着されたものであることが好ましい。高摩擦係数材を周着する場合、周面全体に高摩擦材を定着させて周着ギア３の内面との間に高い摩擦係数の摩擦力を形成するものとしてもよい。実施例１の回転ギア２は、回転周面に複数歯を設けてなる歯車機構からなる。
回転軸２１の中央部は保持上枠２２に、回転軸２１の下部は保持下枠２３に、それぞれ摺動回転自在に支持され、保持上枠と保持下枠の間に板ばねからなる回転付勢体２Ｓが巻きつけ固定される。また保持下枠２３よりも下部の突出部分には止め輪２４によって抜け止め機能が施されている。
【００２８】
（周着ギア３）
周着ギア３は、前記回転付勢力よりも大きな圧接力をもって、回転ギア２の回転周面の周方向に設けられた歯のうち、少なくとも隣り合う複数個からなる歯群と噛合するか、或いは回転ギア２の回転周面のうち巻き取り軸と同軸の回転ギア廻りへ累積中心角１０度（実施例１では４５度）の周部、又は角歯車の隣接する複数歯以上の周部に圧接することで、一方向からの制止力ではなく、当該周部に亘る径方向からの制止力を付加することができる。これにより、確実な制止が可能となる。回転付勢力よりも大きな圧接力をもって、累積範囲８分の１周以上の円弧範囲、すなわち中心角４５度以上の円弧範囲に亘って圧接すること、具体的には全噛みあい率１．２以上で噛合することが好ましい。
【００２９】
具体的には周着ギア３は、回転ギア２の歯車機構の一部の歯群と噛合する内歯車における６歯の歯群からなる凹状円弧面を先端に有した矩形板状の部分円弧体からなり、当該円弧部分体は、回転ギア２の一の径方向に沿ってスライド移動可能に設けられると共に回転ギア２の中心方向へ弾性付勢されることで、回転ギア２の中心角４５度の範囲での噛合状態となり得る。
ロールピン３１はその周囲をコイルばね状の軸付勢体３１Ｓで覆われ、スライド受け片
３２を有する。スライド受け片３２はスライド付勢体３２Ｓによっても付勢される。
【００３０】
周着ギア３と噛合する回転ギア３の歯部は、周着ギア３の圧接区間両端からスライド方向へ並行に区切った圧接区間内から突出することのない５歯以上で構成される。この圧接区間内の歯部は、歯の突設位置が円弧上の等間隔毎となっており、各突出角度が当該円弧の径方向と共通する。圧接区間内の歯部はすべて、外側面と内側面によって両側傾斜した山型歯部形状をしており、圧接範囲において内側面、外側面はスライド方向に対して必ず３度以上の傾斜角を持って傾斜してなる。
【００３１】
実施例１ではピン方向へスライド移動可能なロールピンの先端に、所定範囲の内円弧による内歯車を有する板状の周着ギアが固定される。ロールピン方向へのスライド移動によって離間状態ないし噛合状態となり得る。またロールピン周りに巻設されたコイルバネからなるスライドピン弾性体によって、回転ギア側への突出方向（回転ギア中心軸方向）への弾性付勢力を確保している。
【実施例２】
【００３２】
図９〜１１に示す実施例２の索体繰り出し装置は、周着ギア３として、円柱状回転ギア２の略全周を囲う周着孔と、その一部周囲を切り欠いて対向面を離間形成した切り欠き対向部３０Ａと、切り欠き溝３０Ａの対向面距離を可変させて周着ギア３による圧接力を調節する調節機構とを具備する。
【００３３】
周着ギア３は具体的には、回転ギア２を挿通し得る周着孔を有した円筒板からなるコマ状の弾性体において、周着孔の一側方に張り出してなる板状の張り出し部３Ｔを設け、この張り出し方向側及びその対称位置側に、所定の離間幅で対向面を並行形成した切り欠き対向部３０Ａが形成される。
【００３４】
このコマ状の周着ギア３は上方及び側面の一部が開口した収容ケース内に収容され、上下方向に貫通する２本の固定ボルトによってその端部付近が固定される。この固定ボルトの貫通部は、弾性変形する張り出し方向側とは対称方向側の、非変形部分に設けられる。
【００３５】
周着ギア３の切り欠き対向部３０Ａは周着孔を一方側から対称位置側にかけて横断するように形成され、また、張り出し部３Ｔを離間対向する２枚の板材に分断形成する。そして分断形成によって形成された一対の板材からなる張り出し部３Ｔ同士を貫通して螺入するハンドル５０先端の突出ネジ５０Ｓによって、張り出し部の一対の板材間距離が調節される。実施例ではハンドル５０は保持枠５０Ｈによって基端部が保持され、先端部にて側方へ延出されたレバー部５０Ｅを操作してハンドルを回すことで、保持枠５０Ｈ内で突出ネジ５０Ｓが突出入する。
【００３６】
また実施例２では外ケース１Ｃの下部に、一側方へ開口するように折り曲げ形成された支柱部への取り付け枠部１Ｄが固定される。その他の特記しない構成は実施例１と同様である。
【実施例３】
【００３７】
図１２、図１３に示す実施例３の索体繰り出し装置は、保持機構として、回転軸と直交する直交軸方向にスライド移動可能なスライドピン３１の外側端部を、当該端部付近に回動可能に設けたハンドル５の角度によって直交軸方向へ押し込んだまま調節保持し得る構造を採用している。具体的にはハンドルの基部に傾斜面５Ｔ及び傾斜面端部に鋭角の突部５Ｐを設け、この基部が軸回転することで、スライドピン３１の頭部３５の端面を押しこむか押しこみ解除した状態となる。押し込んだ状態では、周着ギアが回転ギアに近接して噛合状態となる。
【００３８】
本発明は上記の構成により、緩みのない状態で懸架された索体Ｒが、強すぎずかつ弱すぎない所定の張架力による架設状態を確実に維持し、またこの架設状態維持操作やその解除操作を容易に行うことのできる索体繰り出し装置及び索体繰り出し装置付き作業台を提供することとなった。
【００３９】
その他、各部の具体的な構成及び製造方法に関する具体的な工程は、上述した実施例に限定されるものでなく、本発明の趣旨を逸脱しない範囲で種々の変形が可能である。
【符号の説明】
【００４０】
１０  索体繰り出し装置
１  巻き取り部
１２  カバー蓋
１３  フックストッパー
１Ａ  芯材
１Ｃ  外カバー
１Ｈ  固定穴
１Ｍ  引き出し口
２  回転ギア
２Ａ  固定溝
２Ｓ  回転付勢体
２１  回転軸
２２  保持上枠
２３  保持下枠
２４  止め輪
３  周着ギア
３１  ロールピン
３１Ｓ  軸付勢体
３２  スライド受け片
３２Ｓ  スライド付勢体
３Ｐ  突部
３３  プランジャーヘッド
３４  止め板
４  枠体
４Ｄ  枠溝
４１  内部保持枠
４２  外部保持枠
Ｂ１  支柱
Ｂ２  支脚
Ｂ２１  筋交
Ｂ２２  接地体
Ｂ２３  ローラー
Ｂ  作業台
Ｂ３  天板
Ｈ  懸架装置
Ｒ  索体
ＲＦ  懸架フック
Ｓ１  圧接状態
Ｓ２  離間状態
【図１】
2012162949.tif 000003
【図２】
2012162949.tif 000004
【図３】
2012162949.tif 000005
【図４】
2012162949.tif 000006
【図５】
2012162949.tif 000007
【図６】
2012162949.tif 000008
【図７】
2012162949.tif 000009
【図８】
2012162949.tif 000010
【図９】
2012162949.tif 000011
【図１０】
2012162949.tif 000012
【図１１】
2012162949.tif 000013
【図１２】
2012162949.tif 000014
【図１３】
2012162949.tif 000015